(57)【要約】      （修正有）【課題】浮標式掛け時計を提供する。【解決手段】掛け時計１１を含み、掛け時計１１の中には循環装置１００が設置され、循環装置１００の中には浮標装置１０１が設置され、浮標装置１０１の上端には針装置が連結され、針装置の後端には駆動装置が連結され、循環装置１００は掛け時計１１の中に設置される前方に開口した水注ぎチャンバ１６を含み、水注ぎチャンバ１６の下側内壁には水ガイドチャンバ２２が連通するように設置され、水ガイドチャンバ２２の中には水ポンプ１７が固定的に設置され、水ガイドチャンバ２２の中には水ポンプ１７の下側に位置している下バルブ２１が固定的に設置される。【選択図】図１
2020173238.tif 000002
【特許請求の範囲】
【請求項１】
掛け時計を含み、前記掛け時計の中には循環装置が設置され、前記循環装置の中には浮標装置が設置され、前記浮標装置の上端には針装置が連結され、前記針装置の後端には駆動装置が連結され、前記循環装置は前記掛け時計の中に設置される前方に開口した水注ぎチャンバを含み、前記水注ぎチャンバの下側内壁には水ガイドチャンバが連通するように設置され、前記水ガイドチャンバの中には水ポンプが固定的に設置され、前記水ガイドチャンバの中には前記水ポンプの下側に位置している下バルブが固定的に設置され、前記水ガイドチャンバの下側内壁には水戻し溝が連通するように設置され、前記水戻し溝の下側内壁には下方に開口した出水口が連通するように設置され、前記出水口の中には密封栓がスライドできるように設置され、前記密封栓の下端には手動ブロックが固定的に連結され、前記水注ぎチャンバの上側内壁には水滴らし口が左右に対称的に連通するように設置され、前記水滴らし口の上側内壁には貯水チャンバが連通するように設置され、前記貯水チャンバの下側内壁が前記水戻し溝と連通しており、前記水戻し溝の中には上バルブが左右に対称的に固定的に設置され、
前記水ポンプの圧力により水循環を実現でき、前記密封栓を抜くと水を交換できることを特徴とする浮標式掛け時計。
【請求項２】
前記浮標装置は前記水注ぎチャンバの後側内壁に連通するように設置される後方に開口したスライドブロックチャンバを含み、前記水注ぎチャンバの中の水位は前記スライドブロックチャンバの下側を超えなく、前記スライドブロックチャンバの上下内壁の間には固定ロッドが固定的に連結され、前記スライドブロックチャンバの中にはスライドブロックがスライドできるように設置され、前記スライドブロックの中にはガイド穴が上下貫通するように設置され、前記固定ロッドが前記ガイド穴を貫通しており、前記スライドブロックの前端が前記水注ぎチャンバの中に挿入され、前記スライドブロックの中には浮標穴が上下貫通するように設置され、前記浮標穴の中には浮標がスライドできるように設置され、前記浮標の下端には浮きボールが固定的に連結され、前記浮標の左右両端と前記水注ぎチャンバの左右両側内壁との間には引きばねが固定的に連結され、前記水注ぎチャンバの上側内壁には浮標チャンバが連通するように設置され、前記浮標の上端が前記浮標チャンバを貫通し前記針装置に連結され、
前記浮きボールの水中の浮力により前記浮標と前記針装置とを接触連動させ、掛け時計にずれが生じたときに、前記スライドブロックをスライドさせることができ、それにより前記浮標をスライド連動させて調整と位置制限をを行うことを特徴とする請求項１に記載の浮標式掛け時計。
【請求項３】
前記針装置は前記浮標チャンバの上側内壁に連通するように設置される前方に開口した針チャンバを含み、前記針チャンバの中には短針輪が回転できるように設置され、前記短針輪の円周面には短針が固定的に連結され、前記短針輪の後端には内回転軸が固定的に連結され、前記内回転軸の後端が前記駆動装置に連結され、前記短針輪の後側には長針輪が回転できるように設置され、前記長針輪の円周面には長針が固定的に連結され、前記長針輪の後端には外回転軸が固定的に連結され、前記外回転軸の後端が前記駆動装置に連結され、前記長針輪の中には内回転軸チャンバが前後に貫通するように設置され、前記内回転軸チャンバが前記外回転軸を貫通しており、前記長針輪の中には接触ブロックチャンバが中心と後ろ合わせに開口するように設置され、前記接触ブロックチャンバの中には接触ブロックがスライドできるように設置され、前記スライドブロックの内側内壁には感応ブロックが固定的に連結され、前記接触ブロックチャンバの左右両側内壁には復帰チャンバが対称的に連通するように設置され、前記復帰チャンバの中には復帰ブロックがスライドできるように設置され、前記復帰ブロックが前記接触ブロックに固定的に連結され、前記復帰ブロックの下端と前記復帰チャンバの下側内壁との間には復帰ばねが固定的に連結され、
前記浮標が前記接触ブロックと接触しまた前記接触ブロックをプッシュし前記接触ブロックチャンバの中にスライドさせ、前記接触ブロックと前記感応ブロックとが接触するとき前記水ポンプを始動し、前記長針輪の回転速度は前記短針輪の六十倍であることを特徴とする請求項２に記載の浮標式掛け時計。
【請求項４】
前記駆動装置は前記針チャンバの後側内壁の中に設置される歯車チャンバを含み、前記歯車チャンバの中には小従動歯車が回転できるように設置され、前記外回転軸の後端が前記小従動歯車に固定的に連結され、前記内回転軸チャンバが前記小従動歯車を貫通しており、前記小従動歯車の上端には大駆動歯車が噛合するように設置され、前記大駆動歯車の中にはモータ軸が固定的に連結され、前記歯車チャンバの後側内壁の中にはモータが固定的に設置され、前記モータ軸が前記モータに伝動できるように連結され、前記大駆動歯車の後側には小駆動歯車が回転できるように設置され、前記小駆動歯車が前記モータ軸に固定的に連結され、前記小駆動歯車の下端には大従動歯車が噛合するように設置され、前記大従動歯車が前記内回転軸に固定的に連結され、
前記モータを始動した後、歯車伝動により前記針装置を駆動できることを特徴とする請求項３に記載の浮標式掛け時計。
【請求項５】
前記水注ぎチャンバの中の前側には下ガラスブロックが固定的に設置され、前記針チャンバの中の前側には上ガラスブロックが設置され、前記掛け時計の中には掛け溝が後方に開口するように設置され、
前記下ガラスブロックと前記上ガラスブロックとにより時間を見ることができ、前記掛け溝により掛け時計を掛けられることを特徴とする請求項１又は請求項２又は請求項３又は請求項４に記載の浮標式掛け時計。
【発明の詳細な説明】
【技術分野】
【０００１】
本発明は時計分野を取り上げて、具体的には浮標式掛け時計である。
【背景技術】
【０００２】
生活中に時計により時間を確定でき、通常特別な掛け時計を配置し部屋を飾り、意味を持つ掛け時計は人を引きつけやすく、従って、水の浮力により定時する浮標式掛け時計を設計し、本装置は循環水により定時し報時するだけではなく、また時間が流れる水のようだという意味で人を引きつける。
【先行技術文献】
【特許文献】
【０００３】
【特許文献１】中国特許出願公開第１０５９２９６６６号明細書
【発明の概要】
【発明が解決しようとする課題】
【０００４】
本発明の目的は浮標式掛け時計を提供し、それは上記の現在の技術中の問題を解決できる。
【課題を解決するための手段】
【０００５】
本発明は以下の技術プランを通じて実現する：本発明の浮標式掛け時計は、掛け時計を含み、前記掛け時計の中には循環装置が設置され、前記循環装置の中には浮標装置が設置され、前記浮標装置の上端には針装置が連結され、前記針装置の後端には駆動装置が連結され、前記循環装置は前記掛け時計の中に設置される前方に開口した水注ぎチャンバを含み、前記水注ぎチャンバの下側内壁には水ガイドチャンバが連通するように設置され、前記水ガイドチャンバの中には水ポンプが固定的に設置され、前記水ガイドチャンバの中には前記水ポンプの下側に位置している下バルブが固定的に設置され、前記水ガイドチャンバの下側内壁には水戻し溝が連通するように設置され、前記水戻し溝の下側内壁には下方に開口した出水口が連通するように設置され、前記出水口の中には密封栓がスライドできるように設置され、前記密封栓の下端には手動ブロックが固定的に連結され、前記水注ぎチャンバの上側内壁には水滴らし口が左右に対称的に連通するように設置され、前記水滴らし口の上側内壁には貯水チャンバが連通するように設置され、前記貯水チャンバの下側内壁が前記水戻し溝と連通しており、前記水戻し溝の中には上バルブが左右に対称的に固定的に設置され、
前記水ポンプの圧力により水循環を実現でき、前記密封栓を抜くと水を交換できる。
【０００６】
さらなる技術プラン、前記浮標装置は前記水注ぎチャンバの後側内壁に連通するように設置される後方に開口したスライドブロックチャンバを含み、前記水注ぎチャンバの中の水位は前記スライドブロックチャンバの下側を超えなく、前記スライドブロックチャンバの上下内壁の間には固定ロッドが固定的に連結され、前記スライドブロックチャンバの中にはスライドブロックがスライドできるように設置され、前記スライドブロックの中にはガイド穴が上下貫通するように設置され、前記固定ロッドが前記ガイド穴を貫通しており、前記スライドブロックの前端が前記水注ぎチャンバの中に挿入され、前記スライドブロックの中には浮標穴が上下貫通するように設置され、前記浮標穴の中には浮標がスライドできるように設置され、前記浮標の下端には浮きボールが固定的に連結され、前記浮標の左右両端と前記水注ぎチャンバの左右両側内壁との間には引きばねが固定的に連結され、前記水注ぎチャンバの上側内壁には浮標チャンバが連通するように設置され、前記浮標の上端が前記浮標チャンバを貫通し前記針装置に連結され、
前記浮きボールの水中の浮力により前記浮標と前記針装置とを接触連動させ、掛け時計にずれが生じたときに、前記スライドブロックをスライドさせることができ、それにより前記浮標をスライド連動させて調整と位置制限をを行う。
【０００７】
さらなる技術プラン、前記針装置は前記浮標チャンバの上側内壁に連通するように設置される前方に開口した針チャンバを含み、前記針チャンバの中には短針輪が回転できるように設置され、前記短針輪の円周面には短針が固定的に連結され、前記短針輪の後端には内回転軸が固定的に連結され、前記内回転軸の後端が前記駆動装置に連結され、前記短針輪の後側には長針輪が回転できるように設置され、前記長針輪の円周面には長針が固定的に連結され、前記長針輪の後端には外回転軸が固定的に連結され、前記外回転軸の後端が前記駆動装置に連結され、前記長針輪の中には内回転軸チャンバが前後に貫通するように設置され、前記内回転軸チャンバが前記外回転軸を貫通しており、前記長針輪の中には接触ブロックチャンバが中心と後ろ合わせに開口するように設置され、前記接触ブロックチャンバの中には接触ブロックがスライドできるように設置され、前記スライドブロックの内側内壁には感応ブロックが固定的に連結され、前記接触ブロックチャンバの左右両側内壁には復帰チャンバが対称的に連通するように設置され、前記復帰チャンバの中には復帰ブロックがスライドできるように設置され、前記復帰ブロックが前記接触ブロックに固定的に連結され、前記復帰ブロックの下端と前記復帰チャンバの下側内壁との間には復帰ばねが固定的に連結され、
前記浮標が前記接触ブロックと接触しまた前記接触ブロックをプッシュし前記接触ブロックチャンバの中にスライドさせ、前記接触ブロックと前記感応ブロックとが接触するとき前記水ポンプを始動し、前記長針輪の回転速度は前記短針輪の六十倍である。
【０００８】
さらなる技術プラン、前記駆動装置は前記針チャンバの後側内壁の中に設置される歯車チャンバを含み、前記歯車チャンバの中には小従動歯車が回転できるように設置され、前記外回転軸の後端が前記小従動歯車に固定的に連結され、前記内回転軸チャンバが前記小従動歯車を貫通しており、前記小従動歯車の上端には大駆動歯車が噛合するように設置され、前記大駆動歯車の中にはモータ軸が固定的に連結され、前記歯車チャンバの後側内壁の中にはモータが固定的に設置され、前記モータ軸が前記モータに伝動できるように連結され、前記大駆動歯車の後側には小駆動歯車が回転できるように設置され、前記小駆動歯車が前記モータ軸に固定的に連結され、前記小駆動歯車の下端には大従動歯車が噛合するように設置され、前記大従動歯車が前記内回転軸に固定的に連結され、
前記モータを始動した後、歯車伝動により前記針装置を駆動できる。
【０００９】
さらなる技術プラン、前記水注ぎチャンバの中の前側には下ガラスブロックが固定的に設置され、前記針チャンバの中の前側には上ガラスブロックが設置され、前記掛け時計の中には掛け溝が後方に開口するように設置され、
前記下ガラスブロックと前記上ガラスブロックとにより時間を見ることができ、前記掛け溝により掛け時計を掛けられる。
【発明の効果】
【００１０】
有益的な効果は：本発明は構造が簡単で、操作が便利であり、モータを始動した後に連続的に時間を表示し、同時に水を滴らす方式で時間を計り、一時間経った後に水ポンプを始動し排水循環を行い、本発明装置は循環水により定時し報時するだけではなく、また時間が流れる水のようだという意味で人を引きつける。
【図面の簡単な説明】
【００１１】
【図１】図１は本発明の浮標式掛け時計の内部構造概略図
【図２】図２は図１のＡの拡大概略図
【図３】図３は図１のＢ−Ｂ方向の構造概略図
【図４】図４は図１のＣ−Ｃ方向の構造概略図
【図５】図５は図２のＤ−Ｄ方向の構造概略図
【発明を実施するための形態】
【００１２】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−５に参照し、本発明の浮標式掛け時計は、掛け時計１１を含み、前記掛け時計１１の中には循環装置１００が設置され、前記循環装置１００の中には浮標装置１０１が設置され、前記浮標装置１０１の上端には針装置１０２が連結され、前記針装置１０２の後端には駆動装置１０３が連結され、前記循環装置１００は前記掛け時計１１の中に設置される前方に開口した水注ぎチャンバ１６を含み、前記水注ぎチャンバ１６の下側内壁には水ガイドチャンバ２２が連通するように設置され、前記水ガイドチャンバ２２の中には水ポンプ１７が固定的に設置され、前記水ガイドチャンバ２２の中には前記水ポンプ１７の下側に位置している下バルブ２１が固定的に設置され、前記水ガイドチャンバ２２の下側内壁には水戻し溝１５が連通するように設置され、前記水戻し溝１５の下側内壁には下方に開口した出水口２０が連通するように設置され、前記出水口２０の中には密封栓１８がスライドできるように設置され、前記密封栓１８の下端には手動ブロック１９が固定的に連結され、前記水注ぎチャンバ１６の上側内壁には水滴らし口２７が左右に対称的に連通するように設置され、前記水滴らし口２７の上側内壁には貯水チャンバ１３が連通するように設置され、前記貯水チャンバ１３の下側内壁が前記水戻し溝１５と連通しており、前記水戻し溝１５の中には上バルブ１４が左右に対称的に固定的に設置され、
前記水ポンプ１７の圧力により水循環を実現でき、前記密封栓１８を抜くと水を交換できる。
【００１４】
有益的には、前記浮標装置１０１は前記水注ぎチャンバ１６の後側内壁に連通するように設置される後方に開口したスライドブロックチャンバ４３を含み、前記水注ぎチャンバ１６の中の水位は前記スライドブロックチャンバ４３の下側を超えなく、前記スライドブロックチャンバ４３の上下内壁の間には固定ロッド４２が固定的に連結され、前記スライドブロックチャンバ４３の中にはスライドブロック２５がスライドできるように設置され、前記スライドブロック２５の中にはガイド穴４１が上下貫通するように設置され、前記固定ロッド４２が前記ガイド穴４１を貫通しており、前記スライドブロック２５の前端が前記水注ぎチャンバ１６の中に挿入され、前記スライドブロック２５の中には浮標穴２６が上下貫通するように設置され、前記浮標穴２６の中には浮標２９がスライドできるように設置され、前記浮標２９の下端には浮きボール２３が固定的に連結され、前記浮標２９の左右両端と前記水注ぎチャンバ１６の左右両側内壁との間には引きばね２４が固定的に連結され、前記水注ぎチャンバ１６の上側内壁には浮標チャンバ２８が連通するように設置され、前記浮標２９の上端が前記浮標チャンバ２８を貫通し前記針装置１０２に連結され、
前記浮きボール２３の水中の浮力により前記浮標２９と前記針装置１０２とを接触連動させ、掛け時計にずれが生じたときに、前記スライドブロック２５をスライドさせることができ、それにより前記浮標２９をスライド連動させて調整と位置制限をを行う。
【００１５】
有益的には、前記針装置１０２は前記浮標チャンバ２８の上側内壁に連通するように設置される前方に開口した針チャンバ１２を含み、前記針チャンバ１２の中には短針輪４７が回転できるように設置され、前記短針輪４７の円周面には短針４８が固定的に連結され、前記短針輪４７の後端には内回転軸３３が固定的に連結され、前記内回転軸３３の後端が前記駆動装置１０３に連結され、前記短針輪４７の後側には長針輪３０が回転できるように設置され、前記長針輪３０の円周面には長針３１が固定的に連結され、前記長針輪３０の後端には外回転軸３２が固定的に連結され、前記外回転軸３２の後端が前記駆動装置１０３に連結され、前記長針輪３０の中には内回転軸チャンバ３４が前後に貫通するように設置され、前記内回転軸チャンバ３４が前記外回転軸３２を貫通しており、前記長針輪３０の中には接触ブロックチャンバ３５が中心と後ろ合わせに開口するように設置され、前記接触ブロックチャンバ３５の中には接触ブロック３７がスライドできるように設置され、前記スライドブロック２５の内側内壁には感応ブロック３６が固定的に連結され、前記接触ブロックチャンバ３５の左右両側内壁には復帰チャンバ３８が対称的に連通するように設置され、前記復帰チャンバ３８の中には復帰ブロック３９がスライドできるように設置され、前記復帰ブロック３９が前記接触ブロック３７に固定的に連結され、前記復帰ブロック３９の下端と前記復帰チャンバ３８の下側内壁との間には復帰ばね４０が固定的に連結され、
前記浮標２９が前記接触ブロック３７と接触しまた前記接触ブロック３７をプッシュし前記接触ブロックチャンバ３５の中にスライドさせ、前記接触ブロック３７と前記感応ブロック３６とが接触するとき前記水ポンプ１７を始動し、前記長針輪３０の回転速度は前記短針輪４７の六十倍である。
【００１６】
有益的には、前記駆動装置１０３は前記針チャンバ１２の後側内壁の中に設置される歯車チャンバ４９を含み、前記歯車チャンバ４９の中には小従動歯車５０が回転できるように設置され、前記外回転軸３２の後端が前記小従動歯車５０に固定的に連結され、前記内回転軸チャンバ３４が前記小従動歯車５０を貫通しており、前記小従動歯車５０の上端には大駆動歯車５１が噛合するように設置され、前記大駆動歯車５１の中にはモータ軸５５が固定的に連結され、前記歯車チャンバ４９の後側内壁の中にはモータ５４が固定的に設置され、前記モータ軸５５が前記モータ５４に伝動できるように連結され、前記大駆動歯車５１の後側には小駆動歯車５２が回転できるように設置され、前記小駆動歯車５２が前記モータ軸５５に固定的に連結され、前記小駆動歯車５２の下端には大従動歯車５３が噛合するように設置され、前記大従動歯車５３が前記内回転軸３３に固定的に連結され、
前記モータ５４を始動した後、歯車伝動により前記針装置１０２を駆動できる。
【００１７】
有益的には、前記水注ぎチャンバ１６の中の前側には下ガラスブロック４５が固定的に設置され、前記針チャンバ１２の中の前側には上ガラスブロック４６が設置され、前記掛け時計１１の中には掛け溝４４が後方に開口するように設置され、
前記下ガラスブロック４５と前記上ガラスブロック４６とにより時間を見ることができ、前記掛け溝４４により掛け時計を掛けられる。
【００１８】
使用するとき、モータ５４を始動し、歯車伝動により長針輪３０と短針輪４７とを回転連動させ、それにより長針３１と短針４８を回転連動させて時間を表示し、同時に貯水チャンバ１３の中にある水が水滴らし口２７から水注ぎチャンバ１６の中に入り、このとき水ポンプ１７が閉じ、水注ぎチャンバ１６の中にある水が浮きボール２３を浮かせるとき、それにより浮標２９を上昇連動させ、接触ブロック３７が最下端に回転したとき、浮標２９がちょうど接触ブロック３７と接触し、また接触ブロック３７をプッシュし接触ブロックチャンバ３５の中にスライドさせ、接触ブロック３７と感応ブロック３６とが接触するとき水ポンプ１７を始動し、このとき時間はちょうど正時であり、このとき水ポンプ１７により水注ぎチャンバ１６の中にある水を排出し、また水戻し溝１５を通って再び貯水チャンバ１３の中に流れ戻り、掛け時計に時間誤差があるとき、すなわち浮標２９と接触ブロック３７とが正常に接触できなく、このときスライドブロック２５をスライドさせることができ、それにより浮きボール２３の上限界位置を変更し調整する。
【００１９】
有益的な効果は：本発明は構造が簡単で、操作が便利であり、モータを始動した後に連続的に時間を表示し、同時に水を滴らす方式で時間を計り、一時間経った後に水ポンプを始動し排水循環を行い、本発明装置は循環水により定時し報時するだけではなく、また時間が流れる水のようだという意味で人を引きつける。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020173238.tif 000003
【図２】
2020173238.tif 000004
【図３】
2020173238.tif 000005
【図４】
2020173238.tif 000006
【図５】
2020173238.tif 000007